(57)【要約】【課題】記録媒体のカールおよびノズルの目詰まりを緩和・抑制できるインクジェットインク組成物を提供すること。【解決手段】少なくとも水と色材と水溶性有機溶媒とを含むインクジェットインク組成物において、下記一般式（１）で表される少なくとも１種のアミンを１０〜３０重量％の範囲内で含むことを特徴とするインクジェットインク組成物。・一般式（１）【化１】2004315644.tif 000041〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなり、且つ、前記３つの置換基全てが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含まない。〕【選択図】  なし【特許請求の範囲】
【請求項１】
少なくとも水と色材と水溶性有機溶媒とを含むインクジェットインク組成物において、
下記一般式（１）で表される少なくとも１種のアミンを１０〜３０重量％の範囲内で含むことを特徴とするインクジェットインク組成物。
・一般式（１）
【化１】
2004315644.tif 000023
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなり、且つ、前記３つの置換基全てが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含まない。〕
【請求項２】
前記一般式（１）において、Ｒ１、Ｒ２、Ｒ３で表される３つの置換基の２つが、ヒドロキシル基を含む炭化水素基からなることを特徴とする請求項１に記載のインクジェットインク組成物。
【請求項３】
前記ヒドロキシル基が、前記ヒドロキシル基を含む炭化水素基の末端に位置することを特徴とする請求項１に記載のインクジェットインク組成物。
【請求項４】
前記ヒドロキシル基を含む炭化水素基が、ヒドロキシアルキル基を含むことを特徴とする請求項１に記載のインクジェットインク組成物。
【請求項５】
前記ヒドロキシル基を含む炭化水素基が、炭素数１〜５の直鎖状のヒドロキシアルキル基からなることを特徴とする請求項１に記載のインクジェットインク組成物。
【請求項６】
前記アミンの融点あるいは分解点が、５０℃以上であることを特徴とする請求項１に記載のインクジェットインク組成物。
【請求項７】
表面張力が４０ｍＮ／ｍ以下であることを特徴とする請求項１に記載のインクジェットインク組成物。
【請求項８】
少なくとも水と色材と水溶性有機溶媒とを含むインクジェットインク組成物において、
下記一般式（２）で表される少なくとも１種のアミンを含むことを特徴とするインクジェットインク組成物。
・一般式（２）
【化２】
2004315644.tif 000024
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【請求項９】
前記アミンの含有量が、５〜３０重量％の範囲内であることを特徴とする請求項８に記載のインクジェットインク組成物。
【請求項１０】
前記アミンが、Ｎ，Ｎ−ビス（ヒドロキシアルキル）グリシン誘導体、Ｎ，Ｎ−ビス（ヒドロキシアルキル）−２−アミノエタンスルホン酸誘導体から選択されたアミンであることを特徴とする請求項８に記載のインクジェットインク組成物。
【請求項１１】
前記アミンの融点あるいは分解点が、５０℃以上であることを特徴とする請求項８に記載のインクジェットインク組成物。
【請求項１２】
表面張力が４０ｍＮ／ｍ以下であることを特徴とする請求項８に記載のインクジェットインク組成物。
【請求項１３】
少なくとも水と色材と水溶性有機溶媒とを含むインクジェットインク組成物を記録媒体に付着させて画像を形成するインクジェット記録方法において、
前記インクジェットインク組成物が、下記一般式（１）で表される少なくとも１種のアミンを１０〜３０重量％の範囲内で含むことを特徴とするインクジェット記録方法。
・一般式（１）
【化３】
2004315644.tif 000025
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【請求項１４】
少なくとも水と色材と水溶性有機溶媒とを含むインクジェットインク組成物を記録媒体に付着させて画像を形成するインクジェット記録方法において、
前記インクジェットインク組成物が、下記一般式（２）で表される少なくとも１種のアミンを含むことを特徴とするインクジェット記録方法。
・一般式（２）
【化４】
2004315644.tif 000026
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【請求項１５】
液体を吐出するノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記液体を前記記録媒体表面に吐出することにより画像を形成し、
前記液体として少なくとも水と色材と水溶性有機溶媒とを含むインクジェットインク組成物を用いるインクジェット記録装置において、
前記インクジェットインク組成物が、下記一般式（１）で表される少なくとも１種のアミンを１０〜３０重量％の範囲内で含むことを特徴とするインクジェット記録装置。
・一般式（１）
【化５】
2004315644.tif 000027
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【請求項１６】
前記液体吐出面と前記記録媒体との最短間隔が１．０ｍｍ〜２．０ｍｍの範囲内であり、前記液体吐出面の前記記録媒体搬送方向の最大長さが２．５４ｃｍ以上であることを特徴とする特徴とする請求項１５に記載のインクジェット記録装置。
【請求項１７】
液体を吐出するノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記液体を前記記録媒体表面に吐出することにより画像を形成し、
前記液体として少なくとも水と色材と水溶性有機溶媒とを含むインクジェットインク組成物を用いるインクジェット記録装置において、
前記インクジェットインク組成物が、下記一般式（２）で表される少なくとも１種のアミンを含むことを特徴とするインクジェット記録装置。
・一般式（２）
【化６】
2004315644.tif 000028
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【請求項１８】
前記液体吐出面と前記記録媒体との最短間隔が１．０ｍｍ〜２．０ｍｍの範囲内であり、前記液体吐出面の前記記録媒体搬送方向の最大長さが２．５４ｃｍ以上であることを特徴とする特徴とする請求項１７に記載のインクジェット記録装置。
【請求項１９】
水と色材と水溶性有機溶媒とを少なくとも含むインクを２種類以上含むインクセットにおいて、
前記インクセットの少なくとも１つのインクが、下記一般式（１）で表される少なくとも１種のアミンを１０〜３０重量％の範囲内で含むことを特徴とするインクセット。
・一般式（１）
【化７】
2004315644.tif 000029
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【請求項２０】
水と色材と水溶性有機溶媒とを少なくとも含むインクを２種類以上含むインクセットにおいて、
前記インクセットの少なくとも１つのインクが、下記一般式（２）で表される少なくとも１種のアミンを含むことを特徴とするインクセット。
・一般式（２）
【化８】
2004315644.tif 000030
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【請求項２１】
水と色材と水溶性有機溶媒とを少なくとも含むインクを２種類以上含むインクセットを用い、該インクセットのインクを記録媒体に付着させて画像を形成するインクジェット記録方法において、
前記インクセットの少なくとも１つのインクが、下記一般式（１）で表される少なくとも１種のアミンを１０〜３０重量％の範囲内で含むことを特徴とするインクジェット記録方法。
・一般式（１）
【化９】
2004315644.tif 000031
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【請求項２２】
水と色材と水溶性有機溶媒とを少なくとも含むインクを２種類以上含むインクセットを用い、該インクセットのインクを記録媒体に付着させて画像を形成するインクジェット記録方法において、
前記インクセットの少なくとも１つのインクが、下記一般式（２）で表される少なくとも１種のアミンを含むことを特徴とするインクジェット記録方法。
・一般式（２）
【化１０】
2004315644.tif 000032
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【請求項２３】
２種以上の液体を各々別々に吐出する２つ以上のノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記２種以上の液体を前記記録媒体表面に吐出することにより画像を形成し、
前記２種以上の液体として、水と色材と水溶性有機溶媒とを少なくとも含むインクを２種類以上含むインクセットを用いるインクジェット記録装置において、
前記インクセットの少なくとも１つのインクが、下記一般式（１）で表される少なくとも１種のアミンを１０〜３０重量％の範囲内で含むことを特徴とするインクジェット記録装置。
・一般式（１）
【化１１】
2004315644.tif 000033
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【請求項２４】
２種以上の液体を各々別々に吐出する２つ以上のノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記２種以上の液体を前記記録媒体表面に吐出することにより画像を形成し、
前記２種以上の液体として、水と色材と水溶性有機溶媒とを少なくとも含むインクを２種類以上含むインクセットを用いるインクジェット記録装置において、
前記インクセットの少なくとも１つのインクが、下記一般式（２）で表される少なくとも１種のアミンを含むことを特徴とするインクジェット記録装置。
・一般式（２）
【化１２】
2004315644.tif 000034
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【請求項２５】
画像を印字する際に、少なくとも水と色材と水溶性有機溶媒とを含むインクジェットインク組成物と併用され、少なくとも水と水溶性有機溶媒とを含む無色のインクジェット用処理液において、
下記一般式（１）で表される少なくとも１種のアミンを１０〜３０重量％の範囲内で含むことを特徴とするインクジェット用処理液。
・一般式（１）
【化１３】
2004315644.tif 000035
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【請求項２６】
画像を印字する際に、少なくとも水と色材と水溶性有機溶媒とを含むインクジェットインク組成物と併用され、少なくとも水と水溶性有機溶媒とを含む無色のインクジェット用処理液において、
下記一般式（２）で表される少なくとも１種のアミンを含むことを特徴とするインクジェット用処理液。
・一般式（２）
【化１４】
2004315644.tif 000036
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【請求項２７】
少なくとも水と色材と水溶性有機溶媒とを含むインクジェットインク組成物と、少なくとも水と水溶性有機溶媒とを含む無色のインクジェット用処理液とを記録媒体上の略同一領域に付着させて画像を形成するインクジェット記録方法において、
前記インクジェット用処理液が、下記一般式（１）で表される少なくとも１種のアミンを１０〜３０重量％の範囲内で含むことを特徴とするインクジェット記録方法。
・一般式（１）
【化１５】
2004315644.tif 000037
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【請求項２８】
少なくとも水と色材と水溶性有機溶媒とを含むインクジェットインク組成物と、少なくとも水と水溶性有機溶媒とを含む無色のインクジェット用処理液とを記録媒体上の略同一領域に付着させて画像を形成するインクジェット記録方法において、
前記インクジェット用処理液が、下記一般式（２）で表される少なくとも１種のアミンを含むことを特徴とするインクジェット記録方法。
・一般式（２）
【化１６】
2004315644.tif 000038
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【請求項２９】
２種以上の液体を各々別々に吐出する２つ以上のノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記２種以上の液体を前記記録媒体表面に吐出することにより画像を形成し、
前記２種以上の液体として、少なくとも水と色材と水溶性有機溶媒とを含むインクジェットインク組成物と、少なくとも水と水溶性有機溶媒とを含む無色のインクジェット用処理液とを用いるインクジェット記録装置において、
前記インクジェット用処理液が、下記一般式（１）で表される少なくとも１種のアミンを１０〜３０重量％の範囲内で含むことを特徴とするインクジェット記録装置。
・一般式（１）
【化１７】
2004315644.tif 000039
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【請求項３０】
２種以上の液体を各々別々に吐出する２つ以上のノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記２種以上の液体を前記記録媒体表面に吐出することにより画像を形成し、
前記２種以上の液体として、少なくとも水と色材と水溶性有機溶媒とを含むインクジェットインク組成物と、少なくとも水と水溶性有機溶媒とを含む無色のインクジェット用処理液とを用いるインクジェット記録装置において、
前記インクジェット用処理液が、下記一般式（２）で表される少なくとも１種のアミンを含むことを特徴とするインクジェット記録装置。
・一般式（２）
【化１８】
2004315644.tif 000040
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【発明の詳細な説明】
【０００１】
【発明の属する技術分野】
本発明は、インクジェット方式の記録装置（プリンタ、複写機、ファクシミリ、ワードプロセッサ等）に用いられるインクジェットインク組成物、インクセット、インクジェト用処理液、並びに、これらを用いたインクジェット記録方法およびインクジェット記録装置に関するものである。
【０００２】
【従来の技術】
ノズル、スリットあるいは多孔質フィルム等から液体あるいは溶融固体インクを吐出し、紙、布、フィルム等に記録を行う、いわゆるインクジェット方式の記録装置は、小型で安価、静寂性等種々の利点がある。このような記録装置は、最近ではレポート用紙、コピー用紙等のいわゆる普通紙上に良好な印字品質が得られる黒色の単色プリンタだけではなく、フルカラー記録が行えるタイプの製品も数多く市販されており、記録装置の分野で大きな位置を占めるようになった。中でも、圧電素子を用いたいわゆるピエゾインクジェット方式の記録装置、あるいは、熱エネルギーを作用させて液滴を形成し、記録を行う、いわゆる熱インクジェット方式の記録装置は、高速印字、高解像度が得られる等、多くの利点を有している。
【０００３】
インクジェット記録装置で用いられるインクには、主に溶媒、色材、添加剤から構成される。かかるインクに対しては、紙上で滲み、かぶりがなく、高解像度、高濃度で均一な画像が得られること、ノズル先端でのインク乾燥による目詰まりが発生せず、常に吐出応答性、吐出安定性が良好であること、紙上においてインクの速乾性が良いこと、画像の堅ろう性が良いこと、長期保存安定性が良いこと、などの特性が要求される。
【０００４】
また、この他に最近では、特に普通紙のような記録媒体において顕著に発生するカールを緩和、抑制する特性を持つインクが要求されている。なお、カールとは、印字中または印字後に記録媒体が丸みを帯びる現象のことをいう。
カールした記録媒体は積み重ねたり、シートに広げたりできず、非常な不便をきたす。とくにベタ画像の多いカラーグラフィクス画像を高速で連続印字する場合に問題となる。また、両面印字を困難にするため、この点においても記録媒体のカールを緩和、抑制することが要求される。
【０００５】
カールを抑制するために、例えば、インク中にカール防止剤として１，３−ジオール類、１，３，５−トリオール類、アミノ−１，３−ジオール類等を添加することが提案されている（特許文献１参照）。また、インク中にカール防止剤としてアミド化合物を添加することが提案されている（特許文献２参照）。また、インク中にカール防止剤としてヒドロキシアミド誘導体を添加することが提案されている（特許文献３参照）。
しかしながら、これらの方法ではカールの発生を抑制することはできるが、そのためにインク中に多量のカール防止剤を添加しなければならない。このため、多量のカール防止剤を添加したインクを用いて印字しても、画像の画質が不充分であったり、ノズルの目詰まりが発生したり、装置の信頼性等が悪化する場合があり、十分なものではなかった。
【０００６】
一方、記録媒体に処理を施すことによりカールを抑制させる技術が提案されている。例えば、記録媒体のインク受容層の反対面に、バックコート層を設ける方法が提案されている（特許文献４参照）。また、相対湿度を変化させた際のＭＤ方向およびＣＤ方向の紙の不可逆収縮率を規定した普通紙タイプの記録媒体を印字に際して用いることが提案されている（特許文献５参照）。さらに、コート層とその反対面のカールサイズ度を規定する方法が提案されている（特許文献６参照）。
【０００７】
しかしながら、これらの従来技術では、カールの改善効果は見られるものの、未だ十分なものではない。また、記録媒体にカール抑制効果を付与する方法は、このようなカール抑制効果を付与した記録媒体の購入をユーザーに求めることとなるため、一般のユーザーにとっては利便性を損なうこととなる。このようなユーザーの利便性を考慮するならば、どのような記録媒体に印刷してもカールが発生しないインクの方が、カール抑制効果を付与した記録媒体よりも利便性が高く、より求められている。
【０００８】
【特許文献１】
特開平６−１５７９５５号公報
【特許文献２】
特開平９−１７６５３８号公報
【特許文献３】
特開平１０−２０４３４８号公報
【特許文献４】
特開平８−３１０１１１号公報
【特許文献５】
特開平９−２３４９４６号公報
【特許文献６】
特開平１０−２７８４１３号公報
【０００９】
【発明が解決しようとする課題】
本発明は、上記問題点を解決することを課題とする。すなわち、第１の本発明は、記録媒体のカールおよびノズルの目詰まりを緩和・抑制できるインクジェットインク組成物、インクセット、インクジェット用処理液、インクジェット記録方法およびインクジェット記録装置を提供することを課題とする。
また、第２の本発明は記録媒体のカールおよびノズルの目詰まりを緩和・抑制すると共に、画像濃度をより向上させることができるインクジェットインク組成物、インクセット、インクジェット用処理液、インクジェット記録方法およびインクジェット記録装置を提供することを課題とする。
【００１０】
【課題を解決するための手段】
本発明者は、上記課題を解決するために、カールが発生するメカニズムについて検討した。
一般に、カールの発生は、印字に際して記録媒体内のセルロース繊維間にインクの水分が進入し、繊維間の水素結合を断ち切ることが原因と考えられている。インクの水分により断ち切られた水素結合は、水の蒸発とともに再度水素結合を形成するが、その際に、より近傍のヒドロキシ基と結合し、セルロース繊維が再配列するためにセルロース繊維間距離が短くなり、記録媒体全体として収縮することになる。
【００１１】
インクジェット記録装置での印字の際は、通常はインクが記録媒体の片面に印字される。このため、収縮が記録媒体の印字面のみで起きるため、印字面と非印字面とで収縮率に差が生じ、記録媒体がカールすると推測される。
本発明者はこのような知見に基いて、上記課題を達成するために、本発明を想到するに到った。すなわち、本発明は、
【００１２】
＜１＞  少なくとも水と色材と水溶性有機溶媒とを含むインクジェットインク組成物において、
下記一般式（１）で表される少なくとも１種のアミンを１０〜３０重量％の範囲内で含むことを特徴とするインクジェットインク組成物である。
・一般式（１）
【化１９】
2004315644.tif 000002
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなり、且つ、前記３つの置換基全てが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含まない。〕
【００１３】
＜２＞  前記一般式（１）において、Ｒ１、Ｒ２、Ｒ３で表される３つの置換基の２つが、ヒドロキシル基を含む炭化水素基からなることを特徴とする＜１＞に記載のインクジェットインク組成物である。
【００１４】
＜３＞  前記ヒドロキシル基が、前記ヒドロキシル基を含む炭化水素基の末端に位置することを特徴とする＜１＞に記載のインクジェットインク組成物である。
【００１５】
＜４＞  前記ヒドロキシル基を含む炭化水素基が、ヒドロキシアルキル基を含むことを特徴とする＜１＞に記載のインクジェットインク組成物である。
【００１６】
＜５＞  前記ヒドロキシル基を含む炭化水素基が、炭素数１〜５の直鎖状のヒドロキシアルキル基からなることを特徴とする＜１＞に記載のインクジェットインク組成物である。
【００１７】
＜６＞  前記アミンの融点あるいは分解点が、５０℃以上であることを特徴とする＜１＞に記載のインクジェットインク組成物である。
【００１８】
＜７＞  表面張力が４０ｍＮ／ｍ以下であることを特徴とする＜１＞に記載のインクジェットインク組成物である。
【００１９】
＜８＞  少なくとも水と色材と水溶性有機溶媒とを含むインクジェットインク組成物において、
下記一般式（２）で表される少なくとも１種のアミンを含むことを特徴とするインクジェットインク組成物である。
・一般式（２）
【化２０】
2004315644.tif 000003
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【００２０】
＜９＞  前記アミンの含有量が、５〜３０重量％の範囲内であることを特徴とする＜８＞に記載のインクジェットインク組成物である。
【００２１】
＜１０＞  前記アミンが、Ｎ，Ｎ−ビス（ヒドロキシアルキル）グリシン誘導体、Ｎ，Ｎ−ビス（ヒドロキシアルキル）−２−アミノエタンスルホン酸誘導体から選択されたアミンであることを特徴とする＜８＞に記載のインクジェットインク組成物である。
【００２２】
＜１１＞  前記アミンの融点あるいは分解点が、５０℃以上であることを特徴とする＜８＞に記載のインクジェットインク組成物である。
【００２３】
＜１２＞  表面張力が４０ｍＮ／ｍ以下であることを特徴とする＜８＞に記載のインクジェットインク組成物である。
【００２４】
＜１３＞  少なくとも水と色材と水溶性有機溶媒とを含むインクジェットインク組成物を記録媒体に付着させて画像を形成するインクジェット記録方法において、
前記インクジェットインク組成物が、下記一般式（１）で表される少なくとも１種のアミンを１０〜３０重量％の範囲内で含むことを特徴とするインクジェット記録方法である。
・一般式（１）
【化２１】
2004315644.tif 000004
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【００２５】
＜１４＞  少なくとも水と色材と水溶性有機溶媒とを含むインクジェットインク組成物を記録媒体に付着させて画像を形成するインクジェット記録方法において、
前記インクジェットインク組成物が、下記一般式（２）で表される少なくとも１種のアミンを含むことを特徴とするインクジェット記録方法である。
・一般式（２）
【化２２】
2004315644.tif 000005
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【００２６】
＜１５＞  液体を吐出するノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記液体を前記記録媒体表面に吐出することにより画像を形成し、
前記液体として少なくとも水と色材と水溶性有機溶媒とを含むインクジェットインク組成物を用いるインクジェット記録装置において、
前記インクジェットインク組成物が、下記一般式（１）で表される少なくとも１種のアミンを１０〜３０重量％の範囲内で含むことを特徴とするインクジェット記録装置である。
・一般式（１）
【化２３】
2004315644.tif 000006
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【００２７】
＜１６＞  前記液体吐出面と前記記録媒体との最短間隔が１．０ｍｍ〜２．０ｍｍの範囲内であり、前記液体吐出面の前記記録媒体搬送方向の最大長さが２．５４ｃｍ以上であることを特徴とする特徴とする＜１５＞に記載のインクジェット記録装置である。
【００２８】
＜１７＞  液体を吐出するノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記液体を前記記録媒体表面に吐出することにより画像を形成し、
前記液体として少なくとも水と色材と水溶性有機溶媒とを含むインクジェットインク組成物を用いるインクジェット記録装置において、
前記インクジェットインク組成物が、下記一般式（２）で表される少なくとも１種のアミンを含むことを特徴とするインクジェット記録装置である。
・一般式（２）
【化２４】
2004315644.tif 000007
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【００２９】
＜１８＞  前記液体吐出面と前記記録媒体との最短間隔が１．０ｍｍ〜２．０ｍｍの範囲内であり、前記液体吐出面の前記記録媒体搬送方向の最大長さが２．５４ｃｍ以上であることを特徴とする特徴とする＜１７＞に記載のインクジェット記録装置である。
【００３０】
＜１９＞  水と色材と水溶性有機溶媒とを少なくとも含むインクを２種類以上含むインクセットにおいて、
前記インクセットの少なくとも１つのインクが、下記一般式（１）で表される少なくとも１種のアミンを１０〜３０重量％の範囲内で含むことを特徴とするインクセットである。
・一般式（１）
【化２５】
2004315644.tif 000008
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【００３１】
＜２０＞  水と色材と水溶性有機溶媒とを少なくとも含むインクを２種類以上含むインクセットにおいて、
前記インクセットの少なくとも１つのインクが、下記一般式（２）で表される少なくとも１種のアミンを含むことを特徴とするインクセットである。
・一般式（２）
【化２６】
2004315644.tif 000009
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【００３２】
＜２１＞  水と色材と水溶性有機溶媒とを少なくとも含むインクを２種類以上含むインクセットを用い、該インクセットのインクを記録媒体に付着させて画像を形成するインクジェット記録方法において、
前記インクセットの少なくとも１つのインクが、下記一般式（１）で表される少なくとも１種のアミンを１０〜３０重量％の範囲内で含むことを特徴とするインクジェット記録方法である。
・一般式（１）
【化２７】
2004315644.tif 000010
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【００３３】
＜２２＞  水と色材と水溶性有機溶媒とを少なくとも含むインクを２種類以上含むインクセットを用い、該インクセットのインクを記録媒体に付着させて画像を形成するインクジェット記録方法において、
前記インクセットの少なくとも１つのインクが、下記一般式（２）で表される少なくとも１種のアミンを含むことを特徴とするインクジェット記録方法である。
・一般式（２）
【化２８】
2004315644.tif 000011
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【００３４】
＜２３＞  ２種以上の液体を各々別々に吐出する２つ以上のノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記２種以上の液体を前記記録媒体表面に吐出することにより画像を形成し、
前記２種以上の液体として、水と色材と水溶性有機溶媒とを少なくとも含むインクを２種類以上含むインクセットを用いるインクジェット記録装置において、前記インクセットの少なくとも１つのインクが、下記一般式（１）で表される少なくとも１種のアミンを１０〜３０重量％の範囲内で含むことを特徴とするインクジェット記録装置である。
・一般式（１）
【化２９】
2004315644.tif 000012
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【００３５】
＜２４＞  ２種以上の液体を各々別々に吐出する２つ以上のノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記２種以上の液体を前記記録媒体表面に吐出することにより画像を形成し、
前記２種以上の液体として、水と色材と水溶性有機溶媒とを少なくとも含むインクを２種類以上含むインクセットを用いるインクジェット記録装置において、前記インクセットの少なくとも１つのインクが、下記一般式（２）で表される少なくとも１種のアミンを含むことを特徴とするインクジェット記録装置である。
・一般式（２）
【化３０】
2004315644.tif 000013
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【００３６】
＜２５＞  画像を印字する際に、少なくとも水と色材と水溶性有機溶媒とを含むインクジェットインク組成物と併用され、少なくとも水と水溶性有機溶媒とを含む無色のインクジェット用処理液において、
下記一般式（１）で表される少なくとも１種のアミンを１０〜３０重量％の範囲内で含むことを特徴とするインクジェット用処理液である。
・一般式（１）
【化３１】
2004315644.tif 000014
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【００３７】
＜２６＞  画像を印字する際に、少なくとも水と色材と水溶性有機溶媒とを含むインクジェットインク組成物と併用され、少なくとも水と水溶性有機溶媒とを含む無色のインクジェット用処理液において、
下記一般式（２）で表される少なくとも１種のアミンを含むことを特徴とするインクジェット用処理液である。
・一般式（２）
【化３２】
2004315644.tif 000015
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【００３８】
＜２７＞  少なくとも水と色材と水溶性有機溶媒とを含むインクジェットインク組成物と、少なくとも水と水溶性有機溶媒とを含む無色のインクジェット用処理液とを記録媒体上の略同一領域に付着させて画像を形成するインクジェット記録方法において、
前記インクジェット用処理液が、下記一般式（１）で表される少なくとも１種のアミンを１０〜３０重量％の範囲内で含むことを特徴とするインクジェット記録方法である。
・一般式（１）
【化３３】
2004315644.tif 000016
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【００３９】
＜２８＞  少なくとも水と色材と水溶性有機溶媒とを含むインクジェットインク組成物と、少なくとも水と水溶性有機溶媒とを含む無色のインクジェット用処理液とを記録媒体上の略同一領域に付着させて画像を形成するインクジェット記録方法において、
前記インクジェット用処理液が、下記一般式（２）で表される少なくとも１種のアミンを含むことを特徴とするインクジェット記録方法である。
・一般式（２）
【化３４】
2004315644.tif 000017
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【００４０】
＜２９＞  ２種以上の液体を各々別々に吐出する２つ以上のノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記２種以上の液体を前記記録媒体表面に吐出することにより画像を形成し、
前記２種以上の液体として、少なくとも水と色材と水溶性有機溶媒とを含むインクジェットインク組成物と、少なくとも水と水溶性有機溶媒とを含む無色のインクジェット用処理液とを用いるインクジェット記録装置において、
前記インクジェット用処理液が、下記一般式（１）で表される少なくとも１種のアミンを１０〜３０重量％の範囲内で含むことを特徴とするインクジェット記録装置である。
・一般式（１）
【化３５】
2004315644.tif 000018
〔但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなる。〕
【００４１】
＜３０＞  ２種以上の液体を各々別々に吐出する２つ以上のノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、
印字に際して、前記記録ヘッドが前記記録媒体の搬送方向に対して略垂直方向に移動しながら、前記液体吐出面から前記２種以上の液体を前記記録媒体表面に吐出することにより画像を形成し、
前記２種以上の液体として、少なくとも水と色材と水溶性有機溶媒とを含むインクジェットインク組成物と、少なくとも水と水溶性有機溶媒とを含む無色のインクジェット用処理液とを用いるインクジェット記録装置において、
前記インクジェット用処理液が、下記一般式（２）で表される少なくとも１種のアミンを含むことを特徴とするインクジェット記録装置である。
・一般式（２）
【化３６】
2004315644.tif 000019
〔但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。〕
【００４２】
【発明の実施の形態】
以下に第１の本発明および第２の本発明を、インクジェットインク組成物（以下、「インク」と略す場合がある）、インクセット、インクジェット用処理液、インクジェット記録方法、インクジェット記録装置に分けて順に説明する。なお、以下の説明において、「第１の本発明」および「第２の本発明」の両方を指す場合には単に「本発明」と称す場合がある。
【００４３】
＜インクジェットインク組成物、インクセット、インクジェット用処理液＞
−インクジェットインク組成物−
まず、本発明のインクジェットインク組成物について、第１の本発明のインクジェットインク組成物、および、第２の本発明のインクジェットインク組成物にそれぞれ分けて説明し、その後、両者に共通する事項について説明する。
【００４４】
第１の本発明のインクジェットインク組成物は、少なくとも水と色材と水溶性有機溶媒とを含むインクジェットインク組成物において、下記一般式（１）で表される少なくとも１種のアミンを１０〜３０重量％の範囲内で含むことを特徴とする。
・一般式（１）
【化３７】
2004315644.tif 000020
【００４５】
但し、上記一般式（１）で表されるアミンは、第１〜第３アミンのいずれかであり、上記一般式（１）において、Ｒ１、Ｒ２、Ｒ３で表される３つの置換基の少なくとも１つが、ヒドロキシル基を含む炭化水素基からなり、且つ、前記３つの置換基全てが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含まないものである。
【００４６】
従って、第１の本発明のインクジェットインク組成物を用いて記録媒体上に印字した場合には、カールおよび目詰まりを緩和・抑制することができる。
【００４７】
このような効果は、本発明者がカール防止を検討する上でインク中に上記一般式（１）で表されるアミンが少なくとも１種のアミンを１０〜３０重量％の範囲内で含む場合において見出したものである。
第１の本発明のインクに添加される上記一般式（１）で表されるアミンがカール防止効果を呈する機構は明らかでないが、本発明者は、本発明を検討する過程において得た種々の結果や知見から以下のように推測している。
【００４８】
一般式（１）で表されるアミンは、窒素原子の置換基としてヒドロキシル基をもっている。この化合物を含有するインクがインクジェット記録装置の記録ヘッドから噴射され、記録媒体へ浸透するとき、セルロースと親和性の高い窒素原子の効果で浸透が促進され、セルロース繊維間に一般式で表されるアミンが深く浸透することができると考えられる。
【００４９】
一般式（１）で表されるアミンがセルロース繊維間に浸透したのち、窒素原子に結合した置換基に含まれるヒドロキシル基は、セルロースの水酸基と水素結合を生成し、また、アミン分子内の窒素原子は、セルロースの水酸基の水素原子と親和性をもつため、セルロース繊維と物理的結合を形成すると推測される。
ここで生成する２つの結合により、一般式（１）で表されるアミンはセルロース繊維間に配列し、セルロース繊維を架橋する構造を形成する。これにより、記録媒体から水分が蒸発する際にも、一般式（１）で表されるアミンが記録媒体内を動くことなく、セルロース繊維間の架橋構造を保持するため、セルロース繊維間の距離が収縮することを抑制することができ、それゆえカールの発生を抑制することができると考えられる。
【００５０】
また、一般式（１）で表されるアミンは、親水性が高く、保湿剤としての効果も併せ持っている。そのため、印字時に記録媒体に浸透した水分を保持し、急激な水分蒸発を抑制することができる。このような作用は、水の蒸発による水素結合の再構築およびセルロース繊維間距離の収縮を遅らせるため、アミン分子自身がセルロース繊維の水酸基に配列することを可能にすると考えられる。
【００５１】
つまり、アミン分子自らの保湿作用によって、セルロース繊維間への配列を容易にする環境を作ることができ、この保湿作用がセルロース繊維間距離の収縮を抑制する効果を高め、結果としてカールが抑制されると推測される。
さらに、一般式（１）で表されるアミンは保湿性に優れるため、記録ヘッドに充填した際の、噴射ノズルからの水分蒸発を抑えることができ、したがって目詰まりが発生しにくい特性をもつ。
【００５２】
なお、一般式（１）で表されるアミンの含有量は、１０〜３０重量％の範囲内であれば特に限定されないが、１３〜２５重量％の範囲内が好ましく、１５〜２０重量％の範囲内がより好ましい。
一般式（１）で表されるアミンの含有量が１０重量％未満の場合には、カール防止効果が得られなくなる。また、３０重量％を超える場合には目詰まりが発生する。
【００５３】
第１の本発明に用いられるアミンは、一般式（１）で表される窒素原子に結合した３つの置換基Ｒ１、Ｒ２、Ｒ３のうち、少なくとも１つがヒドロキシル基を含む炭化水素基であり、且つ、前記３つの置換基全てが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含まないものであれば特に限定されない。
また、本発明において、「ヒドロキシル基を含む炭化水素基」とは、ヒドロキシル基を少なくとも１つ以上含む公知の炭化水素基を意味し、その構造は特に限定されない。
【００５４】
しかしながら、上記に説明したような考察に基づけば、第１の本発明に用いられるアミンは、セルロース繊維との架橋構造の形成を容易とする観点から、▲１▼アミン分子の最も外側にヒドロキシル基が位置すること、▲２▼ヒドロキシル基が、置換基Ｒ１、Ｒ２、Ｒ３のそれぞれに少なくとも１つ含まれること、▲３▼置換基Ｒ１、Ｒ２、Ｒ３が立体的に嵩張っておらず、他の分子や高分子がアミン分子の中心に位置する窒素原子に接近しやすいこと、また、セルロース繊維間を架橋した際の架橋間隔を長すぎず短すぎず適度な距離に保持する観点から、▲４▼置換基Ｒ１、Ｒ２、Ｒ３のうち、少なくともヒドロキシル基を含む置換基の長さが、適度な長さであること、以上の▲１▼〜▲４▼を満たすことが好ましい。
【００５５】
但し、上記▲２▼項に関しては、実用上は、ヒドロキシル基が、置換基Ｒ１、Ｒ２、Ｒ３のうちのいずれか２つにそれぞれ少なくとも含まれることが好ましい。これは、ヒドロキシル基が置換基Ｒ１、Ｒ２、Ｒ３のそれぞれに少なくとも１つ含まれるようなアミンは、その分子構造によっては経時的に分解し、分解して生成した分解物が黄色を呈する場合があるためである。
【００５６】
上記▲１▼項を満たすには、ヒドロキシル基を含む炭化水素基の末端にヒドロキシル基が位置していることが好ましい。ヒドロキシル基を含む炭化水素基の末端以外にヒドロキシル基が位置する場合には、末端の官能基が、ヒドロキシル基と、セルロース繊維との架橋構造の形成を妨げてしまう場合がある。
【００５７】
また、上記▲３▼項を満たすには、ヒドロキシル基を含む炭化水素基が、ヒドロキシルアルキル基を含む炭化水素基であることが好ましく、ヒドロキシアルキル基のみからなることがより好ましい。
ヒドロキシル基を含む炭化水素基が、例えば、ヒドロキシル基を有する芳香族基からなるような場合には、置換基Ｒ（但し、「置換基Ｒ」とは、置換基Ｒ１、Ｒ２、Ｒ３の少なくともいずれかを意味し、以下も同様である）の立体的な嵩張りが大きく、他アミン分子の中心に位置する窒素原子に、他の分子や高分子が接近するのを妨げてしまう場合がある。また、立体的な嵩張りをより小さくできる点で、ヒドロキシアルキル基は、分岐状よりも直鎖状であることが好ましい。
【００５８】
さらに、上記▲４▼項を満たすには、ヒドロキシル基を含む炭化水素基が、直鎖状のヒドロキシアルキル基からなる場合には、その炭素数が１〜５の範囲内であることが好ましく、１〜３の範囲内であることがより好ましく、１〜２の範囲内であることが更に好ましい。
炭素数が０である場合、すなわち、窒素原子にヒドロキシル基が結合しているような場合には、アミン分子がセルロース繊維間を架橋した際の架橋間隔が短か過ぎる場合があり、炭素数が５を超える場合には架橋間隔が長くなり過ぎる場合がある。
【００５９】
また、ヒドロキシル基を含む炭化水素基が、直鎖状のヒドロキシアルキル基以外の構造であったり、直鎖状のヒドロキシアルキル基を含む炭化水素基（例えば、ベンゼン環に直鎖状のヒドロキシアルキル基が結合しているような場合等）であるような場合には、上記と同様の観点から、このような構造を有するヒドロキシル基を含む炭化水素基の長さは、炭素数が１〜５の範囲内のヒドロキシアルキル基に相当する長さであることが好ましい。
【００６０】
以上に説明したようなヒドロキシル基を含む炭化水素基を有するアミン分子としては、例えば、Ｎ−エチルジエタノールアミン等のビス（ヒドロキシアルキル）モノアルキルアミン類や、トリス（２−ヒドロキシエチル）アミン、１−〔Ｎ，Ｎ−ビス（２−ヒドロキシエチル）アミノ〕−２−プロパノール、２，２−ビス（ヒドロキシメチル）２，２’，２”−ニトリロエタノール等のトリス（ヒドロキシルアルキル）アミン類、２−アミノエタノール等のモノヒドロキシアルキルアミン類を用いることができる
【００６１】
次に、第２の本発明のインクジェトインク組成物について説明する。第２の本発明のインクジェトインク組成物は、少なくとも水と色材と水溶性有機溶媒とを含むインクジェットインク組成物において、下記一般式（２）で表される少なくとも１種のアミンを含むことを特徴とする。
・一般式（２）
【化３８】
2004315644.tif 000021
【００６２】
但し、上記一般式（２）で表されるアミンは、第１〜第３アミンのいずれかであり、上記一般式（２）において、Ｒ１’、Ｒ２’、Ｒ３’で表される３つの置換基の少なくとも１つが、ヒドロキシル基を含む炭化水素基からなり、前記３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基からなる。
【００６３】
従って、第２の本発明のインクジェットインク組成物を用いて記録媒体上に印字した場合には、記録媒体のカールおよびノズルの目詰まりを緩和・抑制すると共に、画像濃度をより向上させることができる。
【００６４】
第２の本発明のインクに用いられる上記一般式（２）で表されるアミンは、第１の本発明にインクに用いるアミンと同様にカールおよびノズルの目詰まりを緩和・抑制することができる。
これは、第１の本発明のインクに用いられるアミンと同様に３つの置換基の少なくとも１つが、ヒドロキシル基を含む炭化水素基からなるためであると考えられる。なお、このような観点からは、アミン分子に含まれるヒドロキシル基を含む炭化水素基の数や、ヒドロキシル基を含む炭化水素基の具体的な構造としては、第１の本発明のインクに用いるアミンと同様であることが好ましい。
【００６５】
一方、本発明者が検討した結果、第２の本発明のインクに用いられるアミンをインクに添加した場合、記録媒体のカールおよびノズルの目詰まりを緩和・抑制すると共に、画像濃度をより向上させる効果を有することも確認した。
このような画像濃度をより向上させる効果は、第２の本発明のインクに用いられるアミンが、第１の本発明に用いられるアミンと異なり、Ｒ１’、Ｒ２’、Ｒ３’で表される３つの置換基の少なくとも１つが、その末端に−ＣＯ２Ｍまたは−ＳＯ３Ｍ（Ｍは水素、アルカリ金属、アルカリ土類金属、アンモニウム、有機アミンから選択された原子・原子団）を有するアルキル基を含む炭化水素基（以下、「アルキルカルボン酸誘導体基」または「アルキルスルホン酸誘導体基」と略す場合がある）からなるためであると考えられる。より具体的には、アルキルカルボン酸誘導体基やアルキルスルホン酸誘導体基に含まれる−ＣＯ２Ｍまたは−ＳＯ３Ｍ部分が記録媒体と接触した際に、顔料の凝集を促進する作用を有するためであると考えられる。
【００６６】
このような画像濃度を向上させる効果は、次のような現象によるものと推測される。
印字に際し、微小液滴として記録ヘッドから吐出されたインクが記録媒体に着弾したインク滴内部では、置換基Ｒ’（但し、「置換基Ｒ’」とは、置換基Ｒ１、Ｒ２、Ｒ３の少なくともいずれかを意味し、以下も同様である）としてアルキルカルボン酸誘導体基および／またはアルキルスルホン酸誘導体基を含むアミンが、インク滴表面およびインク滴と記録媒体との界面に配列するために、インク滴内でアミン分子の濃度勾配が生じる。この際、インク滴内のアミン分子が高濃度となったところでは、アミン分子に含まれる−ＣＯ２Ｍまたは−ＳＯ３Ｍ基が、インク中の色材の分散安定性を阻害し、色材の凝集を促進すると推測される。従って、このような現象により、記録媒体表面に色材がとどまり易くなり、画像濃度が向上するものと考えられる。
【００６７】
なお、第２の本発明のインクに用いられるアミン分子中に含まれるアルキルカルボン酸誘導体基またはアルキルスルホン酸誘導体基は、ヒドロキシル基を含んでいてもよい。しかし、この場合、末端にヒドロキシル基が位置することができないため、ヒドロキシル基を含まないものであることが好ましい。
また、第２の本発明のインクに用いられるアミン分子中に含まれるヒドロキシル基を含む炭化水素基の数は、既述したように２つであることが最も好ましいことから、アミン分子中に含まれるアルキルカルボン酸誘導体基またはアルキルスルホン酸誘導体基の数は１つであることが好ましい。
【００６８】
以上に説明したような第２の本発明のインクに用いられるアミン分子の具体例としては、Ｎ，Ｎ−ビス（ヒドロキシエチル）グリシン、Ｎ，Ｎ−ビス（ヒドロキシエチル）グリシンナトリウム塩、Ｎ，Ｎ−ビス（ヒドロキシエチル）グリシンアンモニウム塩、Ｎ，Ｎ−ビス（ヒドロキシメチル）グリシン、Ｎ，Ｎ−ビス（ヒドロキシメチル）グリシンナトリウム塩、Ｎ，Ｎ−ビス（ヒドロキシメチル）グリシンアンモニウム塩、Ｎ，Ｎ−ビス（ヒドロキシエチル）−２−アミノエタンスルホン酸、Ｎ，Ｎ−ビス（ヒドロキシエチル）−２−アミノエタンスルホン酸ナトリウム塩、Ｎ，Ｎ−ビス（ヒドロキシエチル）−２−アミノエタンスルホン酸アンモニウム塩、Ｎ，Ｎ−ビス（ヒドロキシメチル）−２−アミノエタンスルホン酸、Ｎ，Ｎ−ビス（ヒドロキシメチル）−２−アミノエタンスルホン酸ナトリウム塩、Ｎ，Ｎ−ビス（ヒドロキシメチル）−２−アミノエタンスルホン酸アンモニウム塩、トリシンナトリウム塩（Ｎ−〔トリス（ヒドロキシメチル）メチル〕グリシンナトリウム塩）等が挙げられる。
【００６９】
これらの中でもさらに好ましいアミン分子としては、Ｎ，Ｎ−ビス（ヒドロキシアルキル）グリシン誘導体、Ｎ，Ｎ−ビス（ヒドロキシアルキル）−２−アミノエタンスルホン酸誘導体が挙げられ、特に、これらアミン誘導体分子のヒドロキシアルキルの部分がヒドロキシエチルであることが好ましい。
【００７０】
第２の本発明のインクでは、一般式（２）で表されるアミンの含有量は特に限定されないが、５〜３０重量％の範囲内であることが好ましく、１３〜２５重量％の範囲内がより好ましく、１５〜２０重量％の範囲内が更に好ましい。
一般式（２）で表されるアミンの含有量が３重量％未満の場合には、カール防止効果が得られなくなる場合がある。また、３０重量％を超える場合には目詰まりが発生する場合がある。
【００７１】
次に、以上に説明した第１の本発明のインクおよび第２の本発明のインク（以下、第１および第２の本発明のインクの両方を指す場合を「本発明のインク」と称する）に共通する事項について以下に詳細に説明する。
【００７２】
本発明のインクに用いられるアミンは、常温で単体で存在する場合には固体状態であることが好ましい。この観点からは、アミンの融点あるいは分解点が５０℃以上であることが好ましく、１００℃以上であることがより好ましく、１８０℃以上であることが更に好ましい。
なお、「アミンの融点あるいは分解点」とは、アミンが融点および分解点の両方を有する化合物である場合には、いずれか低い温度を指す。
アミンの融点あるいは分解点が５０℃以上である場合、一般的使用環境下において上記一般式（１）および（２）で表されるアミンは固体であり、インクが乾燥した後に記録媒体内部に残留し、セルロース繊維間に配列したまま固定され、紙力増強剤と同様の働きをする。このためアミンの融点あるいは分解点が５０℃未満である場合と比較して、カール抑制効果をより大きくすることができる。また、融点あるいは分解点が５０℃以上である場合、アミンが紙力増強剤として働くため、このようなアミンを含むインクで印字した印字物の上に、重ねて印字や書き込みをした場合にも、カールが抑制される。なお、このような融点あるいは分解点が５０℃以上のアミンとしては、第２の本発明のインクに用いるアミンとして、上記に例示したアミンが挙げられる。
【００７３】
本発明のインクの表面張力は４０ｍＮ／ｍ以下であることが望ましい。より好ましくは、２５ｍＮ／ｍ以上３５ｍＮ／ｍとすることが望ましい。
表面張力が上記の範囲である従来のインクは、浸透性に優れるため、速乾性インクとして用いられるが、インクが記録媒体内部に浸透しカールが発生し易いという相反する性質も併せ持っていた。しかし、上記一般式（１）や（２）で表されるアミンを含む本発明のインクは、インクが記録媒体内部に深く浸透してもカール発生が抑えられる。このため、本発明のインクの表面張力が上記範囲内にある場合には、速乾性を保ち且つカールの発生も抑制することができる。
【００７４】
なお、本発明のインクには、一般式（１）で表されるアミンおよび一般式（２）で表されるアミンの両方が含まれていてもよい。この場合、前者の割合が相対的に多い場合や両者の割合が同程度であるような場合には、第１の本発明のインクと同様に、インクに含まれる全てのアミンの含有量を１０重量％〜３０重量％の範囲内とすることが必要である。
一方、後者の割合が相対的に多い場合には、第２の本発明のアミンと同様に、インクに含まれる全てのアミンの含有量は特に限定されないが、５〜３５重量％の範囲内とすることが好ましい。
【００７５】
−インクセット−
次に、本発明のインクセットについて説明する。インクを用いた印字に際しては、１種類のインクのみではなく、シアン、マゼンタ、イエロー、ブラックの組合せのように２種類以上のインクをセットで用いることが多い。このようなインクセットを構成する各々のインクは、水と色材と水溶性有機溶媒とを少なくとも含むものである。
【００７６】
このようなインクセットにおいて、第１の本発明のインクセットは、インクセットに含まれる少なくとも１つのインクが、上記に説明したような一般式（１）で表されるアミンを１０〜３０重量％の範囲内で含むインクであることを特徴とする。
このようなインクセットを用いて記録媒体上に印字した場合には、カールおよび目詰まりを緩和・抑制することができる。なお、インクセット中の、アミンを含むインクは、他のインクとセットで用いられることを除けば、基本的に上記に説明した第１の本発明のインクと同様のものである。
【００７７】
なお、インクセットの全ての色のインクが上記に説明したような一般式（１）で表されるアミンを含んでいてもよいが、必ずしもその必要は無く、この場合は記録媒体上の広い領域の印字に使用されやすいインクが一般式（１）で表されるアミンを含んでいることがより好ましい。
【００７８】
例えば、グラフや写真といった、カールに大きな影響を与える部位は、カラーインクや、該カラーインクよりも色材濃度の低いライトカラーインクといった淡色インクがメインに使用される。一方ブラックインクのような濃色インクは主に文字印字に使用されるため、カールへの寄与は少ない。
インクセットが、このような１色以上の淡色インクと１色以上の濃色インクとの組合せから構成される場合には、少なくとも１色の淡色インクが上記一般式（１）で表されるアミンを含んでいることが好ましい。この際、カールへの寄与の小さい濃色インクには、上記一般式（１）で表されるアミンは含まれていても含まれていなくてもよい。
【００７９】
また、第２の本発明のインクセットは、インクセットに含まれる少なくとも１つのインクが、上記に説明したような一般式（２）で表されるアミンを含むインクであることを特徴とする。
このようなインクセットを用いて記録媒体上に印字した場合には、カールおよび目詰まりを緩和・抑制することができると共に、画像濃度をより向上させることができる。なお、インクセット中の、アミンを含むインクは、他のインクとセットで用いられることを除けば、基本的に上記に説明した第２の本発明のインクと同様のものである。
【００８０】
なお、インクセットの全ての色のインクが上記に説明したような一般式（２）で表されるアミンを含んでいてもよいが、必ずしもその必要は無く、上記に説明した場合と同様に、記録媒体上の広い領域の印字に使用されやすいインクが一般式（２）で表されるアミンを含んでいることがより好ましい。
【００８１】
なお、本発明のインクセットのインクには、一般式（１）で表されるアミンおよび一般式（２）で表されるアミンの両方が含まれていてもよい。この場合、前者の割合が相対的に多い場合や両者の割合が同程度であるような場合には、第１の本発明のインクセットと同様に、インクに含まれる全てのアミンの含有量を１０重量％〜３０重量％の範囲内とすることが必要である。
一方、後者の割合が相対的に多い場合には、第２の本発明のインクセットと同様に、インクに含まれる全てのアミンの含有量は特に限定されないが、５〜３５重量％の範囲内とすることが好ましい。
【００８２】
−インクジェット用処理液−
また、インクを用いた印字に際しては、色材を含むインク（少なくとも水と色材と水溶性有機溶媒とを含むインク）に、色材を含まない無色のインクジェット用処理液（少なくとも水と水溶性有機溶媒とを含む処理液）を併用する場合がある。このような処理液は、インクが記録媒体に付与される前あるいは後に、記録媒体上のインクが付与される領域に付与されるものである。
このような処理液において、第１の本発明の処理液は、処理液に上記に説明したような一般式（１）で表されるアミンを１０〜３０重量％の範囲内で含むことを特徴とする。
このような処理液を、インクと共に併用して記録媒体上に印字した場合には、カールおよび目詰まりを緩和・抑制することができる。なお、このような観点からは、一般式（１）で表されるアミンのより好ましい構造や具体例は、既述した場合と同様である。また、第１の本発明の処理液は、カール抑制効果の無いインクと組み合わせて用いる場合に特に効果的である。
【００８３】
また、第２の本発明の処理液は、処理液に上記に説明したような一般式（２）で表されるアミンを含むことを特徴とする。
このような処理液を、インクと共に併用して記録媒体上に印字した場合には、カールおよび目詰まりを緩和・抑制することができると共に、画像濃度をより向上させることができる。なお、このような観点からは、一般式（２）で表されるアミンのより好ましい構造や具体例は、既述した場合と同様である。また、第２の本発明の処理液は、カール抑制効果の無いインクと組み合わせて用いる場合に特に効果的である。
【００８４】
なお、本発明の処理液には、一般式（１）で表されるアミンおよび一般式（２）で表されるアミンの両方が含まれていてもよい。この場合、前者の割合が相対的に多い場合や両者の割合が同程度であるような場合には、第１の本発明の処理液と同様に、処理液に含まれる全てのアミンの含有量を１０重量％〜３０重量％の範囲内とすることが必要である。
一方、後者の割合が相対的に多い場合には、第２の本発明の処理液と同様に、処理液に含まれる全てのアミンの含有量は特に限定されないが、５〜３５重量％の範囲内とすることが好ましい。
【００８５】
−色材、水溶性有機溶媒、その他の添加剤−
次に、本発明において、インクあるいはインクセットを構成する各色のインクに含まれる色材、水溶性有機溶媒、その他の添加剤と、また、処理液に含まれる水溶性有機溶媒、その他の添加剤について以下に説明する。
【００８６】
本発明に用いられる色材は、染料であっても顔料であっても構わない。使用可能な染料としては、直接染料、酸性染料、食用染料、塩基性染料、反応性染料、分散染料、建染染料、可溶性建染染料、反応分散染料、油性染料等いずれも挙げることができる。
【００８７】
具体的には例えば、Ｃ．Ｉ．ダイレクトブラック−２，−４，−９，−１１，−１７，−１９，−２２，−３２，−８０，−１５１，−１５４，−１６８，−１７１，−１９４，−１９５；Ｃ．Ｉ．ダイレクトブルー−１，−２，−６，−８，−２２，−３４，−７０，−７１，−７６，−７８，−８６，−１１２，−１４２，−１６５，−１９９，−２００，−２０１，−２０２，−２０３，−２０７，−２１８，−２３６，−２８７，−３０７；Ｃ．Ｉ．ダイレクトレッド−１，−２，−４，−８，−９，−１１，−１３，−１５，−２０，−２８，−３１，−３３，−３７，−３９，−５１，−５９，−６２，−６３，−７３，−７５，−８０，−８１，−８３，−８７，−９０，−９４，−９５，−９９，−１０１，−１１０，−１８９，−２２７；Ｃ．Ｉ．ダイレクトバイオレット−２，−５，−９，−１２，−１８，−２５，−３７，−４３，−６６，−７２，−７６，−８４，−９２，−１０７；Ｃ．Ｉ．ダイレクトイエロー−１，−２，−４，−８，−１１，−１２，−２６，−２７，−２８，−３３，−３４，−４１，−４４，−４８，−５８，−８６，−８７，−８８，−１３２，−１３５，−１４２，−１４４，−１７３；Ｃ．Ｉ．フードブラック−１，−２；Ｃ．Ｉ．アシッドブラック−１，−２，−７，−１６，−２４，−２６，−２８，−３１，−４８，−５２，−６３，−１０７，−１１２，−１１８，−１１９，−１２１，−１５６，−１７２，−１９４，−２０８；Ｃ．Ｉ．アシッドブルー−１，−７，−９，−１５，−２２，−２３，−２７，−２９，−４０，−４３，−５５，−５９，−６２，−７８，−８０，−８１，−８３，−９０，−１０２，−１０４，−１１１，−１８５，−２４９，−２５４；Ｃ．Ｉ．アシッドレッド−１，−４，−８，−１３，−１４，−１５，−１８，−２１，−２６，−３５，−３７，−５２，−１１０，−１４４．−１８０，−２４９，−２５７；Ｃ．Ｉ．アシッドイエロー−１，−３，−４，−７，−１１，−１２，−１３，−１４，−１８，−１９，−２３，−２５，−３４，−３８，−４１，−４２，−４４，−５３，−５５，−６１，−７１，−７６，−７８，−７９，−１２２等の染料が挙げられる。
【００８８】
これら染料は、単独で用いても、あるいは、複数種類のものを混合して用いてもよい。本発明のインク中のこれら染料の含有割合は、インク全重量に対し０．１〜１０重量％の範囲が好ましく、より好ましくは１〜８重量％の範囲である。
【００８９】
本発明に用いられる色材として使用可能な顔料としては、有機顔料、無機顔料、いずれも挙げることができる。
具体的には、黒色では、ファーネスブラック、ランプブラック、アセチレンブラック、チャンネルブラック等のカーボンブラック顔料等が挙げられ、例えばＲａｖｅｎ７０００、Ｒａｖｅｎ５７５０、Ｒａｖｅｎ５２５０、Ｒａｖｅｎ５０００  ＵＬＴＲＡＩＩ、Ｒａｖｅｎ  ３５００、Ｒａｖｅｎ２０００、Ｒａｖｅｎ１５００、Ｒａｖｅｎ１２５０、Ｒａｖｅｎ１２００、Ｒａｖｅｎ１１９０ＵＬＴＲＡＩＩ、Ｒａｖｅｎ１１７０、Ｒａｖｅｎ１２５５、Ｒａｖｅｎ１０８０、Ｒａｖｅｎ１０６０（以上コロンビアン・カーボン社製）、Ｒｅｇａｌ４００Ｒ、Ｒｅｇａｌ３３０Ｒ、Ｒｅｇａｌ６６０Ｒ、Ｍｏｇｕｌ  Ｌ、Ｂｌａｃｋ  Ｐｅａｒｌｓ  Ｌ、Ｍｏｎａｒｃｈ  ７００、Ｍｏｎａｒｃｈ  ８００、Ｍｎａｒｃｈ  １０００、Ｍｏｎａｒｃｈ  １１００、Ｍｏｎａｒｃｈ  ８８０、Ｍｏｎａｒｃｈ  ９００、Ｍｏｏｎａｒｃｈ  １３００、Ｍｏｎａｒｃｈ  １４００（以上キャボット社製）、Ｃｏｌｏｒ  Ｂｌａｃｋ  ＦＷ１、ＣｏｌｏｒＢｌａｃｋ  ＦＷ２、Ｃｏｌｏｒ  Ｂｌａｃｋ  ＦＷ２Ｖ、Ｃｏｌｏｒ  Ｂｌａｃｋ  １８、Ｃｏｌｏｒ  Ｂｌａｃｋ  ＦＷ２００、Ｃｏｌｏｒ  ＢｌａｃｋＳ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ３５、  ＰｒｉｎｔｅｘＵ、  ＰｒｉｎｔｅｘＶ、  Ｐｒｉｎｔｅｘ１４０Ｕ、Ｐｒｉｎｔｅｘ１４０Ｖ、Ｓｐｅｃｉａｌ  Ｂｌａｃｋ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ４（以上デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上三菱化学社製）等を使用することが出来るが、これらに限定されるものではない。
【００９０】
シアン色では、Ｃ．Ｉ．Ｐｉｇｍｅｎｔ  Ｂｌｕｅ−１、Ｃ．Ｉ．Ｐｉｇｍｅｎｔ  Ｂｌｕｅ−２、Ｃ．Ｉ．Ｐｉｇｍｅｎｔ  Ｂｌｕｅ−３、Ｃ．Ｉ．Ｐｉｇｍｅｎｔ  Ｂｌｕｅ−１５、Ｃ．Ｉ．Ｐｉｇｍｅｎｔ  Ｂｌｕｅ−１５：１、Ｃ．Ｉ．Ｐｉｇｍｅｎｔ  Ｂｌｕｅ−１５：３、Ｃ．Ｉ．Ｐｉｇｍｅｎｔ  Ｂｌｕｅ−１５：４、Ｃ．Ｉ．Ｐｉｇｍｅｎｔ  Ｂｌｕｅ−１６、Ｃ．Ｉ．Ｐｉｇｍｅｎｔ  Ｂｌｕｅ−２２、Ｃ．Ｉ．Ｐｉｇｍｅｎｔ  Ｂｌｕｅ−６０等が挙げられるが、これらに限定されるものではない。
【００９１】
マゼンタ色では、Ｃ．Ｉ．Ｐｉｇｍｅｎｔ  Ｒｅｄ−５、Ｃ．Ｉ．Ｐｉｇｍｅｎｔ  Ｒｅｄ−７、Ｃ．Ｉ．Ｐｉｇｍｅｎｔ  Ｒｅｄ−１２、Ｃ．Ｉ．Ｐｉｇｍｅｎｔ  Ｒｅｄ−４８、Ｃ．Ｉ．Ｐｉｇｍｅｎｔ  Ｒｅｄ−４８：１、Ｃ．Ｉ．Ｐｉｇｍｅｎｔ  Ｒｅｄ−５７、Ｃ．Ｉ．Ｐｉｇｍｅｎｔ  Ｒｅｄ−１１２、Ｃ．Ｉ．Ｐｉｇｍｅｎｔ  Ｒｅｄ−１２２、Ｃ．Ｉ．Ｐｉｇｍｅｎｔ  Ｒｅｄ−１２３、Ｃ．Ｉ．Ｐｉｇｍｅｎｔ  Ｒｅｄ−１４６、Ｃ．Ｉ．Ｐｉｇｍｅｎｔ  Ｒｅｄ−１６８、Ｃ．Ｉ．Ｐｉｇｍｅｎｔ  Ｒｅｄ−１８４、Ｃ．Ｉ．Ｐｉｇｍｅｎｔ  Ｒｅｄ−２０２等が挙げられるが、これらに限定されるものではない。
【００９２】
イエロー色では、Ｃ．Ｉ．Ｐｉｇｍｅｎｔ  Ｙｅｌｌｏｗ−１、Ｃ．Ｉ．Ｐｉｇｍｅｎｔ  Ｙｅｌｌｏｗ−２、Ｃ．Ｉ．Ｐｉｇｍｅｎｔ  Ｙｅｌｌｏｗ−３、Ｃ．Ｉ．Ｐｉｇｍｅｎｔ  Ｙｅｌｌｏｗ−１２、Ｃ．Ｉ．Ｐｉｇｍｅｎｔ  Ｙｅｌｌｏｗ−１３、Ｃ．Ｉ．Ｐｉｇｍｅｎｔ  Ｙｅｌｌｏｗ−１４  、Ｃ．Ｉ．Ｐｉｇｍｅｎｔ  Ｙｅｌｌｏｗ−１６、Ｃ．Ｉ．Ｐｉｇｍｅｎｔ  Ｙｅｌｌｏｗ−１７、Ｃ．Ｉ．Ｐｉｇｍｅｎｔ  Ｙｅｌｌｏｗ−７３、Ｃ．Ｉ．ＰｉｇｍｅｎｔＹｅｌｌｏｗ−７４、Ｃ．Ｉ．Ｐｉｇｍｅｎｔ  Ｙｅｌｌｏｗ−７５、Ｃ．Ｉ．Ｐｉｇｍｅｎｔ  Ｙｅｌｌｏｗ−８３、Ｃ．Ｉ．Ｐｉｇｍｅｎｔ  Ｙｅｌｌｏｗ−９３、Ｃ．Ｉ．Ｐｉｇｍｅｎｔ  Ｙｅｌｌｏｗ−９５、Ｃ．Ｉ．Ｐｉｇｍｅｎｔ  Ｙｅｌｌｏｗ−９７、Ｃ．Ｉ．Ｐｉｇｍｅｎｔ  Ｙｅｌｌｏｗ−９８、Ｃ．Ｉ．Ｐｉｇｍｅｎｔ  Ｙｅｌｌｏｗ−１１４、Ｃ．Ｉ．Ｐｉｇｍｅｎｔ  Ｙｅｌｌｏｗ−１２８、Ｃ．Ｉ．Ｐｉｇｍｅｎｔ  Ｙｅｌｌｏｗ−１２９、Ｃ．Ｉ．Ｐｉｇｍｅｎｔ  Ｙｅｌｌｏｗ−１３８、Ｃ．Ｉ．Ｐｉｇｍｅｎｔ  Ｙｅｌｌｏｗ−１５１、Ｃ．Ｉ．Ｐｉｇｍｅｎｔ  Ｙｅｌｌｏｗ−１５４等が挙げられるが、これらに限定されるものではない。
【００９３】
これら顔料は、単独で用いても、あるいは、複数種類のものを混合して用いてもよい。本発明においてインクに用いられる顔料は、インク全重量に対し０．５〜２０重量％の範囲が好ましく、より好ましくは２〜１０重量％の範囲で使用される。
【００９４】
色材として顔料を使用した場合、併せて顔料分散剤を用いることが望ましい。使用可能な顔料分散剤としては、高分子分散剤、アニオン性界面活性剤、カチオン性界面活性剤、両性界面活性剤、ノニオン性界面活性剤等が挙げられる。前記高分子分散剤としては、親水性構造部と疎水性構造部とを有する重合体であれば有効に使用できる。親水性構造部と疎水性構造部とを有する重合体としては、縮合系重合体と付加重合体とが使用できる。縮合系重合体としては公知のポリエステル系分散剤が挙げられる。
【００９５】
付加重合体としてはα，β−エチレン性不飽和基を有するモノマーの付加重合体が挙げられる。親水基を有するα，β−エチレン性不飽和基を有するモノマーと疎水基を有するα，β−エチレン性不飽和基を有するモノマーを適宜組み合わせて共重合することにより目的の高分子分散剤が得られる。また、親水基を有するα，β−エチレン性不飽和基を有するモノマーの単独重合体も用いることができる。
【００９６】
親水基を有するα，β−エチレン性不飽和基を有するモノマーとしては、カルボキシル基、スルホン酸基、水酸基、りん酸基等を有するモノマー、例えば、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロオキシエチルフェニルアシドホスフェート、エチレングリコールジメタクリレート、ジエチレングリコールジメタクリレート等が挙げられる。
【００９７】
疎水基を有するα，β−エチレン性不飽和基を有するモノマーとしては、スチレン、α−メチルスチレン、ビニルトルエン等のスチレン誘導体、ビニルシクロヘキサン、ビニルナフタレン、ビニルナフタレン誘導体、アクリル酸アルキルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられる。
【００９８】
好ましい共重合体の例としては、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸共重合体、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体等が挙げられる。またこれらの重合体に、ポリオキシエチレン基、水酸基を有するモノマーを適宜共重合させてもよい。
【００９９】
これら顔料分散剤は、単独で用いても、二種類以上用いても構わない。顔料分散剤の添加量は、顔料により大きく異なるため一概には言えないが、一般に顔料に対し、合計で０．１〜１００重量％、好ましくは１〜７０重量％、さらに好ましくは３〜５０重量％の割合で添加される。
本発明に用いられる顔料としては、自己分散顔料を用いることができる。具体的には、キャボット社製のＣａｂ−ｏ−ｊｅｔ−２００、Ｃａｂ−ｏ−ｊｅｔ−３００、ＩＪＸ−２５３、ＩＪＸ−２６６、ＩＪＸ−２７３、ＩＪＸ−４４４、ＩＪＸ−５５、オリエント化学社製のＭｉｃｒｏｊｅｔ  Ｂｌａｃｋ  ＣＷ−１、ＣＷ−２等の市販の自己分散顔料等を使用することが出来るが、これらに限定されるものではない。
また、本発明において使用する顔料として、顔料粒子をポリマーで被覆した、いわゆるカプセル化型顔料を用いることもできる。
【０１００】
本発明において、インクや処理液には、インクや処理液の表面張力および濡れ性を調節するため、あるいは、有機不純物を可溶化し、記録ヘッドのノズルからの噴射の信頼性を向上するため等の理由から、カチオン性界面活性剤、ノニオン性界面活性剤、および／または、アニオン性界面活性剤を添加することができる。これら界面活性剤は、単独で用いても、あるいは、複数種類のものを混合して用いてもよい。
界面活性剤のインクへの添加量は、インク全重量に対し、５重量％以下であることが好ましく、より好ましくは０．０１〜３重量％の範囲で使用される。
【０１０１】
本発明に用いられる水溶性有機溶媒としては、エチレングリコール、ジエチレングリコール、プロピレングリコール、ブチレングリコール、トリエチレングリコール、１，５−ペンタンジオール、１，２，６−ヘキサントリオール、グリセリン等の多価アルコール類、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジエチレングリコールモノヘキシルエーテル、トリエチレングリコールモノブチルエーテル、プロピレングリコールモノブチルエーテル、ジプロピレングリコールモノブチルエーテル等の多価アルコール誘導体、ピロリドン、Ｎ−メチル−２−ピロリドン、シクロヘキシルピロリドン等の含窒素溶媒、エタノール、イソプロピルアルコール、ブチルアルコール、ベンジルアルコール等のアルコール類、あるいは、チオジエタノール、チオジグリセロール、スルホラン、ジメチルスルホキシド等の含硫黄溶媒、炭酸プロピレン、炭酸エチレン等を用いることが出来る。
【０１０２】
これら水溶性有機溶媒は、単独で使用しても、あるいは、二種類以上を混合して使用してもよい。
インク中の前記水溶性有機溶剤の含有量については特に制限はないが、インク全重量の１〜６０重量％であることが好ましく、より好ましくは、インク全重量の５〜４０重量％である。
【０１０３】
本発明においては、インクや処理液には、上記の成分の他、インクや処理液の特性制御のため、ポリエチレンイミン、ポリビニルピロリドン、ポリエチレングリコール、エチルセルロース、カルボキシメチルセルロース等のセルロース誘導体、その他水溶性ポリマー；アクリル系ポリマーエマルション、ポリウレタン系エマルション等のポリマーエマルション；シクロデキストリン、大環状アミン類、デンドリマー、クラウンエーテル類、尿素およびその誘導体、アセトアミド等を添加することができる。
【０１０４】
また、本発明において、インクや処理液には、導伝率、ｐＨを調整するため、水酸化カリウム、水酸化ナトリウム、水酸化リチウム等のアルカリ金属類の化合物；水酸化カルシウム等のアルカリ土類金属類の化合物；硫酸、塩酸、硝酸等の酸；硫酸アンモニウム等の強酸と弱アルカリの塩等を使用することができる。
【０１０５】
その他必要に応じ、ｐＨ緩衝剤、酸化防止剤、防カビ剤、粘度調整剤、導電剤、紫外線吸収剤、およびキレート化剤さらに水溶性染料、分散染料、油溶性染料等も添加することができる
【０１０６】
＜インクジェット記録方法＞
第１の本発明のインクジェット記録方法は、以上に説明した第１の本発明のインクや第１の本発明のインクセットを用いて、インクを記録媒体に付与して画像を形成する、あるいは、第１の本発明の処理液をインクと共に用い、処理液およびインクを記録媒体に付与して画像を形成することを特徴とするものである。
【０１０７】
従って、第１の本発明のインクジェット記録方法を利用して記録媒体上に印字した場合には、カールおよび目詰まりを緩和・抑制することができる。
【０１０８】
また、第２の本発明のインクジェット記録方法は、以上に説明した第２の本発明のインクや第２の本発明のインクセットを用いて、インクを記録媒体に付与して画像を形成する、あるいは、第２の本発明の処理液をインクと共に用い、処理液およびインクを記録媒体に付与して画像を形成することを特徴とするものである。
【０１０９】
従って、第２の本発明のインクジェット記録方法を利用して記録媒体上に印字した場合には、カールおよび目詰まりを緩和・抑制することができると共に、画像濃度をより向上させることができる。
【０１１０】
このような本発明のインクジェット記録方法は、より詳しくは、記録信号に応じてインクの液滴、あるいは、インクの液滴および処理液の液滴をオリフィスから吐出させて被記録媒体上に画像を形成するものである。
【０１１１】
インクジェット記録方法に用いられる記録方法としては、静電誘引力を利用してインク、あるいは、インクおよび処理液を吐出させるいわゆる電荷制御方式、ピエゾ素子の振動圧力を利用してインク、あるいは、インクおよび処理液を吐出させるいわゆるピエゾ方式、および、インク、あるいは、インクおよび処理液を加熱して気泡を形成、成長させることにより生じる圧力を利用してインクや処理液の液滴を形成するいわゆるサーマルインクジェット方式等を挙げることができる。これらの中でも特にフルカラー画像を小型で安価なインクジェト記録装置により提供できる点で、サーマルインクジェット方式およびピエゾ方式が好ましい。
【０１１２】
＜インクジェット記録装置＞
第１の本発明のインクジェット記録装置は、液体を吐出するノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、印字に際して、前記記録ヘッドが前記記録媒体の搬送方向に対して略垂直方向に移動しながら、前記液体吐出面から前記液体を前記記録媒体表面に吐出することにより画像を形成するインクジェト記録装置において、前記液体として、第１の本発明のインク、第１の本発明のインクセット、あるいは、インク（あるいはインクセット）に第１本発明の処理液を併用して用いることを特徴とする。
【０１１３】
したがって、第１の本発明のインクジェット記録装置を用いて画像を印字した場合、カールおよび目詰まりを緩和・抑制することができる。
【０１１４】
また、第２の本発明のインクジェット記録装置は、液体を吐出するノズルを有する液体吐出面を含む記録ヘッドと、記録媒体を前記液体吐出面と対面するように前記記録媒体と前記液体吐出面との最短間隔を一定に保ちながら一方向に搬送する記録媒体搬送手段と、を少なくとも含み、印字に際して、前記記録ヘッドが前記記録媒体の搬送方向に対して略垂直方向に移動しながら、前記液体吐出面から前記液体を前記記録媒体表面に吐出することにより画像を形成するインクジェト記録装置において、前記液体として、第２の本発明のインク、第２の本発明のインクセット、あるいは、インク（あるいはインクセット）に第２本発明の処理液を併用して用いることを特徴とする。
【０１１５】
したがって、第２の本発明のインクジェット記録装置を用いて画像を印字した場合、カールおよび目詰まりを緩和・抑制することができると共に、画像濃度をより向上させることができる。
【０１１６】
このような本発明のインクジェット記録装置に用いられる記録方法としては、本発明のインクジェット記録方法に用いられるようなピエゾ方式やサーマルインクジェット方式等、公知の記録方式を利用することができる。また、印字に際して、ノズルからの液体の吐出、記録ヘッドの記録媒体の搬送方向に対する略垂直方向への移動（走査）は、記録ヘッドに送られる画像信号に応じて行われる。さらに、本発明のインクジェット記録装置は、上記以外の従来公知の構成・部材・機能を必要に応じて備えていてもよい。
【０１１７】
印字に際して用いる液体として、本発明のインクセットや、インク（あるいはインクセット）に本発明の処理液を組み合わせて用いるような２種類以上の液体を用いる場合には、記録ヘッドは２種類以上の液体を各々別々に吐出する２つ以上のノズルを有する液体吐出面を含むものが用いられる。
また、インク（あるいはインクセット）に本発明の処理液を組み合わせて用いる場合、処理液は、インクが付与される記録媒体上の領域に、付与される。この際、インクおよび処理液を付与する順番は特に限定されず、インクを付与してから処理液を付与してもよく、その逆であってもよい。
【０１１８】
本発明のインクジェット記録装置において、液体吐出面と前記記録媒体平面との最短距離は、１．０ｍｍ〜２．０ｍｍの範囲内であることが好ましい。より好ましくは１．２ｍｍ〜１．７ｍｍの範囲内である。
記録ヘッドと記録媒体平面との最短距離が１．０ｍｍ未満である場合、印字の際に記録ヘッドの走査および／または記録媒体の搬送により発生する気流がインクや処理液の吐出方向を乱し、インクや処理液吐出の方向性不良が発生し、画像のムラやモアレの原因となる場合がある。
【０１１９】
また、記録ヘッドと記録媒体平面との最短距離が２．０ｍｍを超える場合、液体吐出面から吐出されたインクや処理液が記録媒体に到達する距離が長くなるため、液滴が記録媒体に着弾する位置の制御が難しく、微細な画像形成が困難になる場合がある。
【０１２０】
一方、上記したような問題を回避するために液体吐出面と前記記録媒体平面との最短距離を１．０ｍｍ〜２．０ｍｍの範囲内としたような従来のインクジェット記録装置において、インクジェト記録装置に搭載される記録ヘッドの液体吐出面の記録媒体搬送方向の最大長さ（以下、「記録ヘッド長さ」と略す場合がある）が１インチ（２．５４ｃｍ）以上の場合には、印字直後に記録媒体がカールの発生により膨張して波うち、記録媒体と記録ヘッドとが接触するトラブルが発生する場合があった。
【０１２１】
記録ヘッド長さが１インチ未満の場合には、記録媒体の被印字部が膨張する前に、記録媒体がヘッドと接触しない位置まで搬送されるため、記録ヘッドと記録媒体との接触は発生しにくい。しかし記録ヘッドの長さが１インチ以上の場合は、インクや処理液の記録媒体表面への付着によって膨張した被印字部がヘッドと接触しない位置まで搬送されるのに時間がかかり、ヘッドと記録媒体とが接触する可能性が高くなるため、なんらかの対処が必要であった。
【０１２２】
一方、本発明のインクジェット記録装置では、印字に用いる液体として、本発明のインク、本発明のインクセット、あるいは、インク（あるいはインクセット）に本発明の処理液を併用して用いるため、印字直後の記録媒体の波うちを抑えることができる。
つまり、上記のトラブルの発生し易い、記録ヘッド長さが１インチ以上の記録ヘッドを搭載した場合でも、本発明のインクジェット記録装置では、記録媒体が記録ヘッドと接触するトラブルをなくすことができる。
【０１２３】
なお、記録ヘッド長さは、７．５ｃｍ以下であることが好ましい。７．５ｃｍよりも大きい場合には、記録媒体が記録ヘッドと接触する場合がある。
【０１２４】
【実施例】
以下、本発明を実施例によりさらに詳しく説明するが、本発明はこれらの実施例に何ら限定されるものではない。
【０１２５】
（実施例１）
以下の成分を混合し、攪拌した後、ポアサイズ５μｍのメンブレンフィルターを用いて濾過しインクとした。
・自己分散顔料分散液（ＣＡＢ−Ｏ−ＪＥＴ  ３００、キャボット社製）：３重量％
・ジエチレングリコール：１５重量％
・Ｎ，Ｎ−ビス（ヒドロキシエチル）グリシン：１５重量％
・水酸化ナトリウム：１．５重量％
・オルフィンＥ１０１０（日信化学工業株式会社製）：０．２重量％
・純水：残量
【０１２６】
（実施例２）
以下の成分を混合し、攪拌した後、ポアサイズ５μｍのメンブレンフィルターを用いて濾過しインクとした。
・自己分散顔料分散液（ＣＡＢ−Ｏ−ＪＥＴ  ２００、キャボット社製）：３重量％
・グリセリン：１０重量％
・スルホラン：１０重量％
・Ｎ，Ｎ−ビス（ヒドロキシエチル）−２−アミノエタンスルホン酸：１５重量％
・水酸化ナトリウム：１．２重量％
・オルフィンＥ１０１０（日信化学工業株式会社製）：０．２重量％
・純水：残量
【０１２７】
（実施例３）
以下の成分を混合し、攪拌した後、ポアサイズ５μｍのメンブレンフィルターを用いて濾過しインクとした。
・自己分散顔料分散液（ＣＡＢ−Ｏ−ＪＥＴ  ３００、キャボット社製）：３重量％
・ジエチレングリコール：１５重量％
・Ｎ，Ｎ−ビス（ヒドロキシエチル）グリシン：１５重量％
・水酸化ナトリウム：１．５重量％
・Ｅ２１５（日本油脂株式会社製）：０．５重量％
・純水：残量
【０１２８】
（実施例４）
以下の成分を混合し、攪拌した後、ポアサイズ５μｍのメンブレンフィルターを用いて濾過しインクとした。
・自己分散顔料分散液（ＩＪＸ−２５３、キャボット社製）：３重量％
・プロピレングリコール：１０重量％
・エチレングリコール：５重量％
・ブチルカルビトール：３重量％
・Ｎ，Ｎ−ビス（ヒドロキシエチル）−２−アミノエタンスルホン酸：３５重量％
・水酸化ナトリウム：２．４重量％
・オルフィンＥ１０１０（日信化学工業株式会社製）：０．５重量％
・純水：残量
【０１２９】
（実施例５）
以下の成分を混合し、攪拌した後、ポアサイズ５μｍのメンブレンフィルターを用いて濾過しインクとした。
・自己分散顔料分散液（ＩＪＸ−２６６、キャボット社製）：３重量％
・ジエチレングリコール：１５重量％
・Ｎ，Ｎ−ビス（ヒドロキシエチル）−２−アミノエタンスルホン酸：３重量％
・水酸化ナトリウム：０．０１重量％
・オルフィンＥ１０１０（日信化学工業株式会社製）：０．２重量％
・純水：残量
【０１３０】
（実施例６）
以下の成分を混合し、攪拌した後、ポアサイズ５μｍのメンブレンフィルターを用いて濾過しインクとした。
・Ｃ．Ｉ．ＡｃｉｄＢｌｕｅ−９：６重量％
・ジエチレングリコール：１５重量％
・Ｎ，Ｎ−ビス（ヒドロキシエチル）グリシン：１０重量％
・水酸化ナトリウム：０．３重量％
・オルフィンＥ１０１０（日信化学工業株式会社製）：０．０５重量％
・純水：残量
【０１３１】
（実施例７）
以下の成分を混合し、攪拌した後、ポアサイズ５μｍのメンブレンフィルターを用いて濾過しインクとした。
・フード  ブラック  ２（Ｚｅｎｅｃａ社製）：５重量％
・ジエチレングリコール：１７重量％
・トリス（２−ヒドロキシエチル）アミン：１０重量％
・オルフィンＥ１０１０（日信化学工業株式会社製）：１重量％
・純水：残量
【０１３２】
（実施例８）
以下の成分を混合し、攪拌した後、ポアサイズ５μｍのメンブレンフィルターを用いて濾過しインクとした。
・Ｃ．Ｉ．ＡｃｉｄＢｌｕｅ−９：６重量％
・ジエチレングリコール：５重量％
・トリス（２−ヒドロキシエチル）アミン：３０重量％
・オルフィンＥ１０１０（日信化学工業株式会社製）：１重量％
・純水：残量
【０１３３】
（実施例９）
以下の成分を混合し、攪拌した後、ポアサイズ５μｍのメンブレンフィルターを用いて濾過しインクとした。
・自己分散顔料分散液（ＩＪＸ−２５３、キャボット社製）：３重量％
・ジエチレングリコール：１０重量％
・２，２−ビス（ヒドロキシメチル）−２，２’，２’’−ニトリロトリエタノール：２０重量％
・オルフィンＥ１０１０（日信化学工業株式会社製）：１重量％
・純水：残量
【０１３４】
（実施例１０）
以下の成分を混合し、攪拌した後、ポアサイズ５μｍのメンブレンフィルターを用いて濾過しインクとした。
・自己分散顔料分散液（ＣＡＢ−Ｏ−ＪＥＴ  ３００、キャボット社製）：３重量％
・グリセリン：２５重量％
・Ｎ，Ｎ−ビス（ヒドロキシエチル）−２−アミノエタンスルホン酸：５重量％
・水酸化ナトリウム：０．３重量％
・オルフィンＥ１０１０（日信化学工業株式会社製）：１重量％
・純水：残量
【０１３５】
（実施例１１）
以下の成分を混合し、攪拌した後、ポアサイズ５μｍのメンブレンフィルターを用いて濾過しインクとした。
・自己分散顔料分散液（ＩＪＸ−２５３、キャボット社製）：３重量％
・グリセリン：５重量％
・Ｎ，Ｎ−ビス（ヒドロキシエチル）−２−アミノエタンスルホン酸：３０重量％
・水酸化ナトリウム：２．４重量％
・オルフィンＥ１０１０（日信化学工業株式会社製）：１重量％
純水：残量
【０１３６】
（比較例１）
以下の成分を混合し、攪拌した後、ポアサイズ５μｍのメンブレンフィルターを用いて濾過しインクとした。
・自己分散顔料分散液（ＣＡＢ−Ｏ−ＪＥＴ  ３００、キャボット社製）：３重量％
・ジエチレングリコール：１０重量％
・ブチルカルビトール：１０重量％
・Ｅ２１５（日本油脂株式会社製）：１重量％
・純水：残量
【０１３７】
（比較例２）
以下の成分を混合し、攪拌した後、ポアサイズ５μｍのメンブレンフィルターを用いて濾過しインクとした。
・自己分散顔料分散液（ＩＪＸ−４４４、キャボット社製）：３重量％
・ジエチレングリコール：１５重量％
・グリシン：１５重量％
・水酸化ナトリウム：１．５重量％
・オルフィンＥ１０１０（日信化学工業株式会社製）：０．２重量％
・純水：残量
【０１３８】
（比較例３）
以下の成分を混合し、攪拌した後、ポアサイズ５μｍのメンブレンフィルターを用いて濾過しインクとした。
・自己分散顔料分散液（ＩＪＸ−２５３、キャボット社製）：３重量％
・ジエチレングリコール：５重量％
・グリシン：１５重量％
・オルフィンＥ１０１０（日信化学工業株式会社製）：０．０５重量％
・純水：残量
【０１３９】
（比較例４）
以下の成分を混合し、攪拌した後、ポアサイズ５μｍのメンブレンフィルターを用いて濾過しインクとした。
・自己分散顔料分散液（ＩＪＸ−２５３、キャボット社製）：３重量％
・ジエチレングリコール：５重量％
・ベタイン：１５重量％
・オルフィンＥ１０１０（日信化学工業株式会社製）：０．５重量％
・純水：残量
【０１４０】
（比較例５）
以下の成分を混合し、攪拌した後、ポアサイズ５μｍのメンブレンフィルターを用いて濾過しインクとした。
・Ｃ．Ｉ．ＤｉｒｅｃｔＢｌｕｅ−１９９：３重量％
・グリセリン：３０重量％
・トリス（２−ヒドロキシエチル）アミン：５重量％
・オルフィンＥ１０１０（日信化学工業株式会社製）：２重量％
・純水：残量
【０１４１】
（比較例６）
以下の成分を混合し、攪拌した後、ポアサイズ５μｍのメンブレンフィルターを用いて濾過しインクとした。
・Ｃ．Ｉ．ＤｉｒｅｃｔＢｌｕｅ−１９９：３重量％
・グリセリン：３重量％
・トリス（２−ヒドロキシエチル）アミン：３５重量％
・オルフィンＥ１０１０（日信化学工業株式会社製）：２重量％
・純水：残量
【０１４２】
＜評価＞
実施例１〜１１、及び比較例１〜６で得られたインクについて、カール測定、画像濃度、目詰まり性、表面張力について評価した結果を、添加したアミン化合物の融点あるいは分解点と共に下記表１に示す。
なお、表１中の「アミンの融点または分解点」の欄の「（ｄｅｃ．）」が付された数値は分解点を表す。
【０１４３】
【表１】
2004315644.tif 000022
【０１４４】
なお、表１中に示すカール測定、画像濃度、目詰まり性、表面張力の評価方法および評価規準は以下の通りである。
（１）カール測定
市販のインクジェットプリンターであるＷｏｒｋ  Ｃｅｎｔｒｅ  Ｂ９００Ｎ（富士ゼロックス株式会社製）の記録ヘッドに、各実施例および比較例で作製したインクを詰替え、市販の普通紙であるＰ紙Ａ４サイズ（縦２９７×横２１０ｍｍ、富士ゼロックスオフィスサプライ製）に、縦２７０ｍｍ、横１９０ｍｍの長方形単色ベタ画像を印字し、２３℃、５５％ＲＨの環境において事務机上に１日静置し、用紙の反り返り高さを測定した。なお、当該反り返り高さとは、用紙がカールして用紙の端が机から浮き上がったときの、机の水平面から用紙端までの垂直方向の距離を指す。評価規準を以下に示す。
◎…反り返り高さ２０ｍｍ未満
○…反り返り高さ２０ｍｍ以上４０ｍｍ未満
△…反り返り高さ４０ｍｍ以上６０ｍｍ未満
×…反り返り高さ６０ｍｍ以上、または、用紙が円筒状に丸まった
【０１４５】
（２）画像濃度
上記のカール測定試験で使用した印字物のベタ部の画像濃度を、光学濃度測定器Ｘ―Ｒｉｔｅ  ＭＯＤＥＬ４０４（Ｘ−Ｒｉｔｅ製）で測定した。評価規準を以下に示す。
◎…光学濃度が１．３０以上
○…光学濃度が１．２０以上１．３０未満
△…光学濃度が１．１０以上１．２０未満
×…光学濃度が１．１０未満
【０１４６】
（３）目詰まり性
上記カール測定と同じ条件で、ベタ画像を連続して１０枚印字した後、ノズルチェックパターンを出力して、各ノズルの目詰まりおよび方向性不良の発生を確認した。評価規準を以下に示す。
◎…目詰まりおよび方向性不良は発生せず。
○…目詰まり未発生、且つ、方向性不良の発生率が全ノズルの１％未満である。
△…目詰まり発生率が全ノズルの１％未満、且つ、方向性不良の発生率が全ノズルの３％未満である。
×…目詰まり発生率が全ノズルの１％以上、または、方向性不良の発生率が全ノズルの３％以上である。
【０１４７】
（４）表面張力
２３℃、５５％ＲＨの環境において、ウイルヘルミー型表面張力計（協和界面科学株式会社製）を用いて測定した。
【０１４８】
【発明の効果】
以上に説明したように第１の本発明によれば、記録媒体のカールおよびノズルの目詰まりを緩和・抑制できるインクジェットインク組成物、インクセット、インクジェット用処理液、インクジェット記録方法およびインクジェット記録装置を提供することができる。
また、第２の本発明によれば、記録媒体のカールおよびノズルの目詰まりを緩和・抑制すると共に、画像濃度をより向上させることができるインクジェットインク組成物、インクセット、インクジェット用処理液、インクジェット記録方法およびインクジェット記録装置を提供することができる。